(57)【要約】【課題】  被取付部材に対する着脱操作性に優れ、長尺体を多数の保持具を用いて複数箇所で保持する場合の自由度を付与して、使い勝手と保持性並びに汎用性を向上する。【解決手段】被取付部材１１などに取り付けられて配線等の長尺体１５などを保持する保持具１において、被取付部材１１に着脱可能に掛け止める取付部４及び該取付部の下側に設けられた連結部５を有しているクリップ２（２Ａ）と、連結部に５回転可能に組み付ける係合部６及び該係合部の下側に設けられて長尺体１５を拘束する拘持部７を有しているホルダー３（３Ａ）とからなる構成である。【選択図】図５
2008025700.tif 000002
【特許請求の範囲】
【請求項１】
躯体等の被取付部材に取り付けられて配線等の長尺体を保持する保持具において、
前記被取付部材に着脱可能に掛け止める取付部及び該取付部の下側に設けられた連結部を有しているクリップと、
前記連結部に回転可能に組み付ける係合部及び該係合部の下側に設けられて前記長尺体を拘束する拘持部を有しているホルダーとからなることを特徴とする保持具。
【請求項２】
前記クリップは前記取付部とは異なる掛け止め用の第２の取付部を有している請求項１に記載の保持具。
【請求項３】
前記取付部は略コ形状からなるとともに、該コ形状の内側に配設されて該コ形状の対向した上下片部の一方との間に前記被取付部材を挟み込む弾性部材を有している請求項１に記載の保持具。
【請求項４】
前記取付部は間隔を保って並設されているとともに、前記被取付部材をそれぞれ異方向から内側に挿入して支持する一対の掛止め片部からなる請求項１に記載の保持具。
【請求項５】
前記ホルダーは取付孔を有し、ねじ等の止め部材により前記被取付部材に単独で取付可能となっている請求項１から４の何れかに記載の保持具。
【請求項６】
前記連結部と前記係合部との間に設けられて、前記ホルダーを前記クリップに対し節度感を持って回転可能にするクリック手段を有している請求項１から５の何れかに記載の保持具。
【請求項７】
前記係合部は前記拘持部に突設された第１係合部及び該第１係合部上にあって上下のフランジ部の間に設けられている第２係合部からなるともに、前記連結部は前記第１係合部に対応する第１連結部及び前記第２係合部に対応する第２連結部からなり、前記第１，第２係合部が前記クリップとホルダーとの相対的な水平移動により前記対応する第１や第２連結部にそれぞれ同時に係脱される請求項１から６の何れかに記載の保持具。
【請求項８】
請求項７の保持具において、前記上下のフランジ部のうち、上側フランジ部を下側フランジ部より厚く形成しているとともに、前記第１連結部の上側に設けられて前記上側フランジ部を逃がす隙間を前記第１連結部と第２連結部との間に設けられて前記下側のフランジ部を逃がす隙間より大きく形成している保持具。
【請求項９】
前記拘持部は、固定片部と、該固定片部にヒンジ部を介して屈曲可能に接続された揺動片部と、前記揺動片部及び前記固定片部の各端部側にそれぞれ設けられたラッチ歯とを有し、前記揺動片部及び前記固定片部が前記長尺体の周囲部分を内側に拘束した状態で前記ラッチ歯同士の係合により連結される請求項１から８の何れかに記載の保持具。
【請求項１０】
前記拘持部は、概略Ｃ形からなるとともに、該Ｃ形の内周に設けられた複数の弾性圧接部、及び該Ｃ形の両端にそれぞれ設けられた連結部を有し、前記長尺体を前記連結部同士の間から前記弾性圧接部同士の間に挿入して拘束する請求項１から８の何れかに記載の保持具。
【発明の詳細な説明】
【技術分野】
【０００１】
本発明は、建築物等の躯体、ブレース（専用支持部材）、梁などの被取付部材に対し各種の長尺体をワンタッチで支持する場合に好適な保持具に関する。
【背景技術】
【０００２】
この種の保持具は、特許文献１や２に開示されているように支持具や係止具などと称され、被取付部材に取り付けられて配線や配管等の長尺体を保持するものである。すなわち、特許文献１の保持具（支持具）は、２部品構成であり、躯体に長尺体を取り付ける際に長尺体を支持すべく、躯体に対する取付部を有している支持具本体と、長尺体が支持具本体から外れるのを防止するために、支持具本体に係合可能な係合連結部を有するカバー体とからなり、前記カバー体の両端部を支持具本体の両端部に位置合わせしつつ支持具本体とカバー体とを互いに近接させることで、支持具本体とカバー体とがその両端部において独立に係合可能となるよう、支持具本体の両端部とカバー体の両端部とに亘って第１係合連結部と第２係合連結部とを設けたことを特徴としている。
【０００３】
これに対し、特許文献２の保持具（係止具）は、単一部品構成であり、クリップ本体が略Ｖ形状の連結部と、連結部のＶ形部にそれぞれ一体となった挟持アーム部とを有している。被取付部材には、クリップ本体の両外面及び両側面に対応する固定面を有する係止口が形成されている。また、クリップ本体は、前記挟持アーム部の先端を開放させた状態でクリップ本体を躯体側の係止口に仮固定させる仮固定部と、クリップ本体を仮固定部から本固定位置に押し込んで挟持アーム部を閉じる方向に変形させた状態で係止口に係止する係止爪とを有している。
【特許文献１】特開平１１−２２３２７８号公報
【特許文献２】特開２０００−２０８９６３号公報
【発明の開示】
【発明が解決しようとする課題】
【０００４】
上記した従来保持具では、建築物などで使用する場合に次のようなことが問題となる。
（ア）配線等の長尺体は、通常、躯体や梁などの被取付部材に沿って保持されるが、その保持位置、つまり被取付部材の何処に保持具を取り付けるかは長尺体を実際に配置する段階で決められることが多い。このため、特許文献２のように被取付部材に対して保持具用の複雑な係止口を設ける構造は、住宅等の建築物だと現実的ではなく作業性から採用困難となる。また、特許文献１のように被取付部材に対して支持具本体を取付ボルトにより取り付ける構造では、作業者が足場の悪い場所において上向きの姿勢で支持具本体をボルト止めしなければならず作業性及び安全性共に問題となる。
（イ）配線等の長尺体は、通常、躯体や梁などの被取付部材に対し多数の保持具を用いて複数箇所で保持されるが、その場合、直線部においては外観や他の部材との干渉を避ける上で長尺体を蛇行しないようにできるだけ直線に配置したり保持することが好ましい。しかし、特許文献１，２等の従来保持具では、保持具が被取付部材に一旦取り付けられると、保持される長尺体の向きも決まるため、保持具を取り付けたり長尺体を保持した後は保持具の取付位置や向きを変更するとなると時間と手間が係る。
（ウ）例えば、住宅等の建築物では、配線等の長尺体を被取付部材に保持具を介して保持した後、他の作業を行う上で邪魔になることも起きるが、その場合は長尺体を保持具から外したり保持具自体を取り外さなければならない。しかし、従来保持具では、長尺体を保持具から簡単に外したり保持具自体を簡単に取り外しできなく時間と手間が係る。
【０００５】
そこで、本発明の目的は、以上のような課題を解消して、特に、被取付部材に対する着脱操作性に優れ、長尺体を多数の保持具を用いて複数箇所で保持する場合の自由度を付与して、使い勝手と保持性並びに汎用性を向上することにある。
【課題を解決するための手段】
【０００６】
上記目的を達成するため請求項１の発明は、図５に例示されるように、躯体等の被取付部材に取り付けられて配線等の長尺体を保持する保持具において、前記被取付部材に着脱可能に掛け止める取付部及び該取付部の下側に設けられた連結部を有しているクリップと、前記連結部に回転可能に組み付ける係合部及び該係合部の下側に設けられて前記長尺体を拘束する拘持部を有しているホルダーとからなることを特徴としている。
【０００７】
以上の発明は、請求項２〜１０のように具体化されることがより好ましい。
（ａ）前記クリップは、図５に例示されるように前記取付部とは異なる掛け止め用の第２の取付部を有している構成（請求項２）。
（ｂ）前記取付部は、図５に例示されるように略コ形状からなるとともに、該コ形状の内側に配設されて該コ形状の対向した上下片部の一方との間に前記被取付部材を挟み込む弾性部材を有している構成（請求項３）。
（ｃ）前記取付部は、図７に例示されるように間隔を保って並設されているとともに、前記被取付部材をそれぞれ異方向から内側に挿入して支持する一対の掛止め片部からなる構成（請求項４）。
【０００８】
（ｄ）前記ホルダーは、図９に例示されるように取付孔を有し、ねじ等の止め部材により前記被取付部材に単独で取付可能となっている構成（請求項５）。
（ｅ）図４に例示されるように前記連結部と前記係合部との間に設けられて、前記ホルダーを前記クリップに対し節度感を持って回転可能にするクリック手段を有している構成（請求項６）。
（ｆ）前記係合部は、図４に例示されるように前記拘持部に突設された第１係合部及び第１係合部上にあって上下のフランジ部の間に設けられている第２係合部からなるともに、前記連結部は前記第１係合部に対応する第１連結部及び第２係合部に対応する第２連結部からなり、前記第１，第２係合部が前記クリップとホルダーとの相対的な水平移動により前記対応する第１や第２連結部にそれぞれ同時に係脱される構成（請求項７）。
【０００９】
（ｇ）請求項７の保持具において、前記上下のフランジ部のうち、上側フランジ部を下側フランジ部より厚く形成しているとともに、前記第１連結部の上側に設けられて前記上側フランジ部を逃がす隙間を前記第１連結部と第２連結部との間に設けられて前記下側のフランジ部を逃がす隙間より大きく形成している構成（請求項８）。
（ｈ）前記拘持部は、図１に例示されるように固定片部と、該固定片部にヒンジ部を介して屈曲可能に接続された揺動片部と、前記揺動片部及び前記固定片部の各端部側にそれぞれ設けられたラッチ歯とを有し、前記揺動片部及び前記固定片部が長尺体の周囲部分を内側に拘束した状態で前記ラッチ歯同士の係合により連結される構成（請求項９）。
（ｉ）前記拘持部は、図１０に例示されるように概略Ｃ形からなるとともに、該Ｃ形の内周に設けられた複数の弾性圧接部、及び該Ｃ形の両端にそれぞれ設けられた連結部を有し、前記長尺体を前記連結部同士の間から前記弾性圧接部同士の間に挿入して拘束する構成（請求項１０）。
【発明の効果】
【００１０】
請求項１の発明では、例えば、特許文献２のものに比べて、クリップが被取付部材に取付部を介して掛け止め操作によりワンタッチで着脱でき、またホルダーがクリップに対し回転可能に組み付けられるため拘持部に保持される長尺体の方向性に自由度を付与でき、更にクリップとホルダーとが明確に役割分担されて、例えば、ホルダーが長尺体を保持した状態で被取付部材に取り付けられているクリップに対し着脱操作可能となって使い方の点から汎用性を具備できる。
【００１１】
請求項２の発明では、図５の例において、クリップが取付部を介して同（ａ）の正規の被取付部材に掛け止めされるとともに、同（ｂ）の正規以外の箇所にも第２の取付部を介して掛け止めでき、それにより汎用性を具備できる。これに対し、請求項５の発明では、図９の例において、同（ａ）の保持具としての正規の使用態様とともに、同（ｂ）のホルダー単独での使用も可能にし、その点から汎用性を具備できる。
【００１２】
請求項３の発明では、クリップ側取付部が掛け止め構造として略コ形の上下片部の一方と専用の弾性部材とで被取付部材を挟み込むため、板状の被取付部材に好適となり取付部の抜け強度を増大できる。これに対し、請求項４の発明では、クリップ側取付部が掛け止め構造として被取付部材を異方向から内側に挿入支持する一対の掛止め片部からなるため、棒状や管状の被取付部材に好適となり特に上下方向の抜け強度を増大できる。
【００１３】
請求項６の発明では、ホルダーがクリップにクリック手段を介して節度感を持って回転されることで、不用意に回転する虞をなくしたり高級感を付与できる。これに対し、請求項７の発明では、ホルダーがクリップに対し２箇所のダブル係合によって連結されることで、連結状態をより確実に維持し、それにより信頼性を向上する。また、請求項８の発明では、２箇所のダブル係合を採用した場合に生じ易い誤組付けの虞を解消し、それにより信頼性を向上する。
【００１４】
請求項９の発明では、図１〜図９の例を特定したものであり、揺動片部がヒンジ部を介して固定片部との間を大きく開口した状態で、長尺体を内側に入れて固定片部側に屈曲されることから長尺体の拘束操作性に優れている。これに対し、請求項１０の発明では、図１０〜図１２の例を特定したものであり、長尺体をＣ形の両端の連結部同士の間からＣ形内の弾性圧接部同士の間に挿入して弾性的に拘束することから長尺体の拘束操作性に優れがたつきも吸収し易い。
【発明を実施するための最良の形態】
【００１５】
本発明の最適な形態を図面を参照しながら説明する。以下の説明では、概要、図１〜図５に示した第１形態の保持具、図６に示したクリップの変形例、図７〜図９に示した第２形態のクリップ及びそれ用いた保持具、図１０と図１１に示した第２形態のホルダー及びそれを用いた保持具の順で詳述する。
【００１６】
（概要）各形態の保持具１は、被取付部材１０や１１などに取り付けられて長尺体１５をワンタッチで保持するもので、クリップ２（２Ａ，２Ｂ，２Ｃ）とホルダー３（３Ａ，３Ｂ）とからなる。クリップ２（２Ａ，２Ｂ，２Ｃ）は、３例を挙げたが、何れもが被取付部材１０や１１などに着脱可能に取り付ける取付部４と連結部５とを一体に有している。ホルダー３（３Ａ，３Ｂ）は、連結部５に回転可能に組み付ける係合部６と長尺体１５を拘束する拘持部７とを一体に有している。ここで、被取付部材１０や１１は、例えば、建築分野だとＨ鋼等の躯体、ブレース（専用支持部材）、梁などである。長尺体１５は、配線、リード線、配管等の長尺なものであればよい。クリップ２Ａ，２Ｂ，２Ｃとホルダー３Ａ，３Ｂとの組み合わせは、代表例として図２、図８、図１１の３つを挙げたが、これ以外にも任意に組み合わせることができる。細部は以下の通りである。
【００１７】
（第１形態の保持具）この保持具１はクリップ２Ａとホルダー３Ａとからなる。なお、クリップ２Ａとホルダー３Ａは、第１形態のクリップとホルダーに相当している。そして、クリップ２Ａは、ホルダー３Ａ以外にも後述するホルダー３Ｂとで保持具１を構成してもよい。同様に、ホルダー３Ａは、クリップ２Ａ以外にも後述するクリップ２Ｂや２Ｃとで保持具１を構成してもよい。
【００１８】
ここで、クリップ２Ａは、図１と図３に示されるごとく取付部４及び連結部５並びに取付部４内に組み付けられた弾性部材８で構成されている。取付部４及び連結部５は樹脂で一体に形成されている。取付部４は、中間片部２０ａ及び上下片部２０ｂ，２０ｃからなる略コ形状をなし、中間片部２０ａの内面に突設された突起２０ｄと、下片部２０ｃの端側中間を切り欠いた逃げ部２０ｅと、中間片部２０ｂの外面つまり取付部４の背面に突設されたフック部（第２の取付部）２１及びその下側で幅方向に設けられた凸部２２とを有している。また、弾性部材８は、取付部４内に対応した略コ形状をなした金属板のプレス品であり、コ形の下片部に切り起こされた係止爪８ａと、下片部の端部を折り曲げて逃げ部２０ｅに沿って配置された下係合部８ｂと、中間片部の内側に形成されて突起２０ｄを挿通した状態で突起周囲に係止している複数の爪８ｃを有している。
【００１９】
連結部５は、取付部４の下側に位置して、図２〜図４に示されるごとく取付部４の下片部２０ｃと両側面２３ａ及び背面２３ｂで区画された内空間に設けられ、下側の第１連結部２５及び上側の第２連結部２６で構成されるとともに、第１連結部２５と第２連結部２６との間に設けられた隙間２７ａと第２連結部２６と下片部２０ｃとの間に設けられた隙間２７ｂとを有している。各連結部２５，２６は、概略ドーナツ形の係合穴２５ａ，２６ａと、該ドーナツ形の先端を切り欠いて係合部６の対応部分を係合穴２５ａ，２６ａに挿入可能にする出入口２５ｂ，２６ｂとからなる。また、下側の連結部２５には、出入口２５ｂと対向する奥側にあって係合穴２５ａを区画している一部をスリット２５ｃを介して径方向へ揺動可能にした部分２８が設けられている。この部分２８は、先端に設けられて係合穴２５ａ内に突出する突起２８ａを有している。
【００２０】
以上のクリップ２Ａは、図５（ａ）に示されるごとく取付部４を被取付部材１０に対しコ形状を対向した状態から近づけると、上片部２０ｂと係止爪８ａとの間に被取付部材１０の対応部分を挟持した態様で取り付けられる。この構造では、係止爪８ａが所定の傾き角度で設けられて被取付部材１０の厚さ応じてたわむことで被取付部材１０の厚さが多少の変わっても確実に挟持でき、また、係止爪８ａが図３のごとく鋸状の刃８ｅを有し、被取付部材１０に対し圧接しかつ刃８ｅの喰い込みで設計上の固定力を確実に充足できるよう工夫されている。また、クリップ２Ａは、図５（ｂ）に示されるごとく取付部背面側のフック部２１を縦断面Ｌ形の被取付部材１２に引っ掛けると、被取付部材１２の対応部をフック部２１と凸部２２との間に規制した状態で取り付けられる。なお、取付手順としては、クリップ２Ａを単独で被取付部材１０や１２などに取り付けた後、ホルダー３Ａ又は３Ｂを連結する方法、クリップ２Ａとホルダー３Ａ又は３Ｂとを連結した後、保持具１として被取付部材１０などに取り付ける方法の何れでもよい。
【００２１】
ホルダー３Ａは、樹脂成形品であり、図１と図４に示されるごとく連結部５に係合される係合部６及び長尺体を拘束する拘持部７とから構成されている。係合部６は、拘持部７（固定片部３４）の対応部から突設されており、下から上に向かって、第１連結部２５に嵌合する第１係合部３０と、隙間２７ａ内に逃される下側フランジ部３２と、第２連結部２６に嵌合する第２係合部３１と、隙間２７ｂ内に逃がされる上側フランジ部３３とを順に形成しているとともに、上下に貫通した取付孔６ａを形成している。各係合部３０，３１は同軸線上に位置しかつほぼ同径の柱状となっている。各フランジ部３２，３３は円盤状をなしているとともに、上側フランジ部３３が隙間２７ｂの大きさに対応して下側フランジ部３２よりも厚く形成されている。
【００２２】
以上の構造にあっては、まず、下方向の荷重に対しては主に第２連結部２６が上側フランジ部３３を強固に支持し、出入口２５ｂ，２６ｂの挿入抜去方向に対しては第１連結部２５に部分２８を介して弾性やばね性を持たせることで組み替え性などを向上した。また、嵌合部を２段構成にしたことによって、長尺体がホルダー３（３Ａ，３Ｂ）に与える嵌合部のねじれ応力に対するホルダーの剛性を向上した。また、嵌合部が２段になっているため誤組み付の虞（上側フランジ部３３を下側の隙間２７ａに差し込むこと）があるため、上下のフランジ部３２，３３の肉厚寸法を変えることでそれを防止できるようにした。ホルダー３Ａがクリップ２と連結されて保持具１を構成するとともに、図９（ｂ）に示されるように取付孔６ａを利用して、ねじ（止め部材）Ｓなどにより被取付部材１４に単独で取り付けられて使用可能となる、などの利点がある。
【００２３】
更に、第１係合部３０は、拘持部７（固定片部３４）の外面と下側フランジ部３１との間に設けられて、周囲に所定ピッチで形成された複数の凹部３０ａを有している。この凹部３０ａは、第１連結部側に設けられた部分２８の突起２８ａと共にクリック手段を構成する。すなわち、このクリック手段は、ホルダー３Ａがクリップ２Ａに対し各係合部３０，３２と連結部２５，２６との嵌合を介して連結された状態で、不用意に回転されないよう、つまり突起２８ａが周囲の各凹部３０ａに順次、弾性的に係脱することにより回転方向に対する節度感を付与し使い勝手を向上する。
【００２４】
拘持部７は、図１に示されるごとく係合部６を外面に突設している固定片部３４と、固定片部３４にヒンジ部３５を介して屈曲可能に接続された揺動片部３６と、固定片部３４の外面及び揺動片部３６の内面の各端部側にそれぞれ設けられたラッチ状歯部３７ａ，３７ｂ及び重ね部３８ａ，３８ｂと、固定片部３４の内面に突出された押圧片３９とを有している。符号３５ａはヒンジ部３５を挟んだ固定片部３４及び揺動片部３６の各外面に突設された規制リブである。この規制リブ３５ａは、揺動片部３６が固定片部３４の端部と離れる開方向へ過大に回転されないよう規制する。そして、この拘持部７では、図５（ａ）のごとく歯部３７ａ，３７ｂの係合を解除して、揺動片部３６と固定片部３４との間隔を大きくした開状態で、長尺体１５の周囲部分を揺動片部３６の内面に仮置きするようにして押圧片３９と揺動片部３６との間に入れた後、揺動片部３６をヒンジ部３５を介して固定片部３４側へ近づけるように移動すると、図５（ｂ）のごとく重ね部３８ｂが重ね部３８ａの内面に沿って重ねられるとともに、前記した歯部３７ｂが歯部３７ａと噛み合って閉状態に保つ。この場合、揺動片部３６は長尺体１５の外径に応じた量だけ固定片部３４に接近されて重ねられる。閉状態において、長尺体１５は揺動片部３６と押圧片３９のと間にがたつきなく拘束される。
【００２５】
（図６の変形例）図６は保持具１を構成しているクリップの変形例である。このクリップ２Ｂは、上記したクリップ２Ａに比べ、弾性部材９がばね線材により構成されているとともに、取付部４内に弾性部材９を取り付けるための構造が異なりそれ以外は同じ。このため、この説明では異なる部材及び部位に新たな符号を付し変更点だけを述べる。すなわち、この弾性部材９は、取付部４の下片部２０ｃに設置される略Ｕ形に折り曲げられた固定部９ａと、固定部９ａであるＵ形の両端部に設けられた巻線部９ｂ，９ｂと、巻線部９ｂ，９ｂから斜め上向きに折り曲げられて上片部２０ｂの内面まで延びている挟持部９ｃ，９ｃとからなる。以上の弾性部材９は、取付部４の内側に対し固定部９ａが下片部２０ｃの内面に設けられた位置決め突起８ｆなどにより位置規制された取付状態で、両挟持部９ｃが対応する巻線部９ｂの付勢力に抗して上片部２０ｂの内面に圧接されている。なお、符号８ｇは上片部２０ｂの内面両側に設けられた規制リブである。該規制リブ８ｇは対応する挟持部９ｃの幅方向の動きを規制する。そして、クリップ２Ｂは、取付部４を被取付部材１０に対しコ形状を対向した状態から近づけると、上片部２０ｂと両挟持部９ｃとの間に被取付部材１０の対応部分を挟持した態様で取り付けられる。この構造では、挟持部９ｃが所定の傾き角度で設けられて被取付部材１０の厚さ応じて巻線部９ｂの付勢力に抗してたわむことで被取付部材１０の厚さが多少変わっても確実に挟持でき、また金属板の構成に比べ重量を軽量化したりコスト低減が図られる。
【００２６】
（第２形態のクリップ及びそれ用いた保持具）図７は保持具１を構成しているクリップの第２形態である。このクリップ２Ｃは、上記したクリップ２Ａ，２Ｂに比べ、取付部４及び連結部５を一体に有している点で同じであるが、特に取付部４の構造が大きく異なっている。また、この保持具１は、図８及び図９のごとくクリップ２Ｃとホルダー３Ａとからなる例である。但し、クリップ２Ｃは、ホルダー３Ａ以外に後述するホルダー３Ｂとで保持具１を構成してもよい。以下の説明では、異なる部材及び部位に新たな符号を付し変更点だけを詳述する。
【００２７】
すなわち、このクリップ２Ｃは、樹脂成形品であり、図７に示されるごとく取付部４及びその下側の連結部５で構成されている。このうち、連結部５は、上記した構造とほぼ同じであり、両側面２３ａ及び背面２３ｂ並びに上面２３ｃで区画された内空間に設けられ、下側の第１連結部２５及び上側の第２連結部２６で構成されるとともに、第１連結部２５と第２連結部２６との間に設けられた隙間２７ａと第２連結部２６と下片部２０ｃとの間に設けられた隙間２７ｂとを有している。連結部２５は、概略ドーナツ形の係合穴２５ａと、該ドーナツ形の先端を切り欠いて係合部６の対応部分を係合穴２５ａに挿入可能にする出入口２５ｂとからなる。また、連結部２５には、図を省略したが、上記第１形態と同じく出入口２５ｂと対向する奥側にあって係合穴２５ａを区画している一部をスリットを介して径方向へ揺動可能にした部分が設けられている。この部分は、先端に設けられて係合穴２５ａ内に突出する突起を有している。上側の連結部２６は、第１形態より簡略化されており、概略Ｕ字形の係合穴２６ａを形成し、係合部６の対応部分を係合穴２６ａに嵌合する構成である。
【００２８】
これに対し、取付部４は、連結部５の上面２３ｃに対し間隔を保って並設されて、被取付部材１１をそれぞれ１８０度異なる方向から内側に挿入して支持する一対の掛止め片部２４，２４により構成されている。各掛止め部材２４は、略Ｃ形からなり、Ｃ形の下端側を上面に２３ｃに結合し、Ｃ形の上端に設けられて上面２３ｃと略平行な延長部２４ａを有している。なお、被取付部材１１は、ブレースと称されている部材であり、直径が少し異なる（直径が約１０．６と１２．６ｍｍ）２種類のブレースを想定している。このため、各掛止め片部２４は、その２種類に対応させるため次の点で工夫されている。各掛止め部材２４は、図８（ｄ）において、各Ｃ形の円弧中心が一致しないよう、例えば、右側のＣ形が矢印方向へ、左側のＣ形が矢印方向へ若干ずれている。これは、径の若干異なるブレースに対し各掛止め部材２４のＣ形クランプ部２４ｂが互いの円弧中心をずらした分だけがたつきの発生を吸収できるからである。また、この構造では、各掛止め部材２４がＣ形の上端に延長部２４ａを有しているため、ブレースに対する抱きつき量を延長部２４ａに比例して増やすこで保持力を向上させるようにした。
【００２９】
以上のクリップ２Ｃは、例えば、一方の掛止め片部２４を被取付部材１１の周囲部分に掛け止めた後、他方の掛止め片部２４を水平に動かしながら被取付部材１１の周囲部分に掛け止めると、図９（ａ）に示されるごとく被取付部材１１に対し取付部４を介して吊り下げられた態様で取り付けられる。なお、この構造において、取付手順としては、クリップ２Ｃを単独で被取付部材１１などに取り付けた後、ホルダー３Ａ又は３Ｂを連結する方法、クリップ２Ｃとホルダー３Ａ又は３Ｂとを連結した後、保持具１として被取付部材１１などに取り付ける方法の何れでもよい。
【００３０】
（第３形態のクリップ及びそれ用いた保持具）図１０は保持具１を構成しているホルダーの第２形態である。このホルダー３Ｂは、上記したホルダー３Ａに比べ、係合部６及び拘持部７を一体に有している点で同じであるが、特に拘持部７の構造が大きく異なっている。また、この保持具１は、クリップ２Ａとホルダー３Ｂとからなる例である。但し、ホルダー３Ｂは、クリップ２Ａ以外にクリップ２Ｂや２Ｃとで保持具１を構成してもよい。この説明でも、異なる部材及び部位に新たな符号を付し変更点だけを詳述する。
【００３１】
すなわち、このホルダー３Ｂは、樹脂成形品であり、上記した連結部５に係合される係合部６及び長尺体１５ａを拘束する拘持部７とから構成されている。係合部６は、上記形態とほぼ同じであり、拘持部７（本体４０）の対応部４５から突設されており、下から上に向かって、上記した第１連結部２５に嵌合する第１係合部３０と、隙間２７ａ内に逃される下側フランジ部３２と、第２連結部２６に嵌合する第２係合部３１ａと、隙間２７ｂ内に逃がされる上側フランジ部３３とを順に形成している。上記形態と異なる構成は、主として、係合部６が上下に貫通した取付孔を有していない点、第２係合部３１ａが横断面十字状に形成されている点である。
【００３２】
これに対し、拘持部７は、長尺体１５ａとして細い配線や少数本の配線等を保持するに好ましい構成として工夫されたものである。この拘持部７は、図１０に示されるごとく概略Ｃ形の本体４０と、本体４０のＣ形両端にそれぞれ設けられた連結部４１と、各連結部４１の端部に設けられた突起４２と、本体４０のＣ形内周に設けられた複数の弾性圧接部４３と、本体４０の一部に設けられた取付部４４などを一体に有している。各連結部４１は、同方向へねじることで一方の突起４２が他方の突起４２に係止されて両連結部４１同士の間の隙間を閉じる、いわゆるパースロックとして作用する。各弾性圧接部４３は、円弧片からなり、互いの円弧頂点を中心に向けて配置されている。このため、この拘持部７では、長尺体１５ａが連結部４１同士の間の隙間から押し込められてくると、各弾性圧接部４３の円弧頂部で弾性保持されることになる。つまり、この構造では、各連結部４１が変形可能なことから、径の異なる長尺体１５ａであっても各連結部４１の変形、及び弾性圧接部４３の変形を伴ってがたつきなく拘束可能となる。また、以上のホルダー３Ｂは、クリップ２Ａ以外のクリップ２Ｂや２Ｃと連結されて保持具１を構成するとともに、図１１（ｂ）に示されるように取付部４４に設けられた取付孔４４ａを利用して、ねじ（止め部材）Ｓなどにより被取付部材１４に単独で取り付けられて使用可能となる。以上のように、本発明の保持具は、請求項１で特定される技術要素を備えておればよく、細部は必要に応じて種々変更したり展開可能なものである。
【図面の簡単な説明】
【００３３】
【図１】（ａ），（ｂ）は第１形態の保持具を示す正規姿勢と上下反転姿勢での外観図である。
【図２】上記保持具の細部を示し、（ａ）は上面図、（ｂ）は側面図、（ｃ）は下面図、（ｄ）は正面図である。
【図３】上記保持具のクリップ単品を示す外観図である。
【図４】（ａ），（ｂ）は上記クリップ側連結部とホルダー側係合部との関係を示す分解図と前記係合部の下フランジ部の真下で断面した横断面図である。
【図５】（ａ），（ｂ）は上記保持具の使用例として長尺体を拘束する前後の状態で示す側面図である。
【図６】上記クリップの変形例を示す外観図である。
【図７】第２形態のクリップ単品を示す外観図である。
【図８】図７のクリップを使用した保持具の細部を示し、（ａ）は上面図、（ｂ）は側面図、（ｃ）は下面図、（ｄ）は正面図である。
【図９】（ａ）は被取付部材に対する図８の保持具の取付方法とホルダー単品での取付方法を示す側面図である。
【図１０】第２形態のホルダーを示す外観図である。
【図１１】（ａ），（ｂ）は図１０のホルダーを有した保持具の使用例とホルダー単品での取付例を示す側面図である。
【符号の説明】
【００３４】
１…保持具
２Ａ，２Ｂ，２Ｃ…クリップ
３Ａ，３Ｂ…ホルダー
４…取付部（８と９は弾性部材、２４は掛止め片部）
５…連結部（２５は第１連結部、２６は第２連結部、２７ａと２７ｂは隙間）
６…係合部（３０は第１係合部、３１は第２係合部、３２と３３はフランジ部）
７…拘持部（３４は固定片部、３６は揺動片部、４０は本体、４１は連結部）
１１〜１２…被取付部材
１５，１５ａ…長尺体
２１…フック部（第２の取付部）
６ａ，４４ａ…取付孔
【図１】
2008025700.tif 000003
【図２】
2008025700.tif 000004
【図３】
2008025700.tif 000005
【図４】
2008025700.tif 000006
【図５】
2008025700.tif 000007
【図６】
2008025700.tif 000008
【図７】
2008025700.tif 000009
【図８】
2008025700.tif 000010
【図９】
2008025700.tif 000011
【図１０】
2008025700.tif 000012
【図１１】
2008025700.tif 000013